(57)【要約】【課題】  畳み込み操作及び引き出し操作が円滑に行われるスライドスクリーンを提供すること。【解決手段】  ハンガーレール２は収納部２ｃと移動部２ｄとを備えている。各キャリア１５ａ〜１５ｄは両端部近傍位置に取着されたランナ３〜１０にてそれぞれハンガーレール２に吊下支持されている。各キャリア１５ａ〜１５ｄにはそれぞれ押圧凸部１７及び押圧部材１９が取着されており、該押圧部材１９にて該押圧凸部１７をＡ方向側から押圧することで畳み込み各キャリア１５ａ〜１５ｄの畳み込み操作が可能となる。各キャリア１５ａ〜１５ｄはそれぞれ隣り合うキャリア間が連結部材２０にて連結されている。連結部材２０はスプリングを備えており、該スプリングは隣り合うキャリアの間隔を離間させるように付勢力を働かせている。【選択図】      図８
2005126966.tif 000002
【特許請求の範囲】
【請求項１】
ハンガーレールに移動可能に支持される複数のキャリアと、
前記キャリアから吊下支持されるカーテン生地とを備え、
前記各キャリアには、先頭のカーテン生地を操作することにより、カーテン生地の引き出し方向あるいは畳み込み方向に係合して、隣り合う各カーテン生地の少なくとも一部が重なる状態で、該カーテン生地を前記ハンガーレールに沿って引き出し、あるいは畳み込み可能とする操作力伝達手段を備えたスライドスクリーンにおいて、
前記ハンガーレールは、窓に平行に配設される移動部と、前記移動部の一端から一方へ延設されて、前記カーテン生地を積層状態で収納する収納部とを備え、
前記操作力伝達手段は、前記各キャリアが前記移動部を移動するとき隣り合うキャリアに操作力を伝達する伝達位置に位置するとともに、前記各キャリアが前記収納部に移動するとき、操作力の伝達を解除する解除位置に位置し、
前記各キャリア間には、前記キャリアが前記収納部から前記移動部に移動するまで、前記操作力伝達手段を前記解除位置に維持する解除維持手段を備えたことを特徴とするスライドスクリーン。
【請求項２】
前記操作力伝達手段はカーテン生地を畳み込む際の操作力を伝達する第一の伝達手段と、カーテン生地を引き出す際の操作力を伝達する第二の伝達手段とから構成されており、
前記第一の伝達手段は、前記キャリアの畳み込み方向端部から室内側に向かって突出形成された押圧部材と、前記キャリアの中央よりも引き出し方向寄りの位置から窓側に向かって突出する押圧凸部とからなり、
隣り合うキャリアがともに前記移動部に位置するとき前記押圧部材と前記押圧凸部とは互いに干渉する突出量に設定されていることを特徴とする請求項１に記載のスライドスクリーン。
【請求項３】
前記操作力伝達手段はカーテン生地を畳み込む際の操作力を伝達する第一の伝達手段と、カーテン生地を引き出す際の操作力を伝達する第二の伝達手段とから構成されており、
前記第二の伝達手段は、前記キャリアの引き出し方向及び畳み込み方向端部近傍位置に取着されたストッパと、該ストッパにて移動が規制されるとともに、隣り合う一方のキャリアと連結される連結部材とからなり、
前記連結部材は、キャリアに取着された２つのストッパに挟まれた位置どうしをそれぞれ連結することを特徴とする請求項１又は２に記載のスライドスクリーン。
【請求項４】
前記解除維持手段は隣り合うキャリアを離間する方向へ付勢する付勢手段を備えたことを特徴とする請求項１〜３の何れか一項に記載のスライドスクリーン。
【請求項５】
前記操作力伝達手段はカーテン生地を畳み込む際の操作力を伝達する第一の伝達手段と、カーテン生地を引き出す際の操作力を伝達する第二の伝達手段とから構成されており、
前記第二の伝達手段は前記解除維持手段の機能を備えることを特徴とする請求項１〜４の何れか一項に記載のスライドスクリーン。
【発明の詳細な説明】
【技術分野】
【０００１】
本発明は、スライドスクリーンに関するものである。
【背景技術】
【０００２】
従来、スライドスクリーンにおいては、カーテン生地を引き出した際に、隣り合うカーテン生地との間に重なりを持たせるため、１枚若しくは２枚のカーテン生地を吊下する毎に１条のハンガーレールを必要としていた。そのため、例えば４枚のカーテン生地を吊下してスライドスクリーンを構成する際には、４条若しくは２条のハンガーレールによってカーテン生地を吊下する必要があった。このように、スライドスクリーンを構成するハンガーレールの数はカーテン生地の枚数に応じて決定されており、カーテン生地の枚数が増加すればするほどハンガーレールの数が増加し、スライドスクリーンを設置するために必要となるスペースが大きくなるという問題点があった。
【０００３】
そこで、カーテン生地をハンガーレールに対して垂直方向から見て僅かに傾斜させて吊下支持することで、カーテン生地の枚数に関係なく１条若しくは２条のハンガーレールにてスライドスクリーンを開閉可能に構成されたものが開示されている（例えば、特許文献１参照）。
【０００４】
詳述すると、特許文献１に記載のスライドスクリーンは各カーテン生地が互いに平行に吊下されたままハンガーレールに沿って移動するように、該カーテン生地上端部の所定の２箇所がランナにて吊下支持されている。
【０００５】
このように構成されたスライドスクリーンは、引き出し方向先端のカーテン生地を操作することで引き出し操作、或いは畳み込み操作が行われていた。スライドスクリーンは、畳み込み操作時には隣り合うカーテン生地の重なりを大きくすることで開度を大きくし、引き出し操作時には隣り合うカーテン生地の重なりを小さくすることで窓全体を遮光可能となるように設定されている。
【特許文献１】実公平１−７８３０号公報
【発明の開示】
【発明が解決しようとする課題】
【０００６】
ところが、このようなスライドスクリーンにおいては、畳み込み操作及び引き出し操作を、ともに引き出し方向先端のカーテン生地にて行うために、各カーテン生地を吊下支持するキャリア及び該キャリアに取着された各種連結部材の係合状態を畳み込み操作及び引き出し操作時で変更する必要がある。従って、畳み込み操作時及び引き出し操作時に隣り合うカーテン生地を吊下支持するキャリア及び該キャリアに取着された各種連結部材の係合状態が円滑に変更されないと、それに伴いスライドスクリーンの畳み込み操作及び引き出し操作が円滑に行われないという問題点があった。
【０００７】
本発明は上記問題点を解決するためになされたものであって、その目的は畳み込み操作及び引き出し操作が円滑に行われるスライドスクリーンを提供することにある。
【課題を解決するための手段】
【０００８】
上記目的を達成するため、請求項１に記載の発明は、ハンガーレールに移動可能に支持される複数のキャリアと、
前記キャリアから吊下支持されるカーテン生地とを備え、前記各キャリアには、先頭のカーテン生地を操作することにより、カーテン生地の引き出し方向あるいは畳み込み方向に係合して、隣り合う各カーテン生地の少なくとも一部が重なる状態で、該カーテン生地を前記ハンガーレールに沿って引き出し、あるいは畳み込み可能とする操作力伝達手段を備えたスライドスクリーンにおいて、前記ハンガーレールは、窓に平行に配設される移動部と、前記移動部の一端から一方へ延設されて、前記カーテン生地を積層状態で収納する収納部とを備え、前記操作力伝達手段は、前記各キャリアが前記移動部を移動するとき隣り合うキャリアに操作力を伝達する伝達位置に位置するとともに、前記各キャリアが前記収納部に移動するとき、操作力の伝達を解除する解除位置に位置し、前記各キャリア間には、前記キャリアが前記収納部から前記移動部に移動するまで、前記操作力伝達手段を前記解除位置に維持する解除維持手段を備えた。
【０００９】
請求項２に記載の発明は、請求項１に記載の発明において、前記操作力伝達手段はカーテン生地を畳み込む際の操作力を伝達する第一の伝達手段と、カーテン生地を引き出す際の操作力を伝達する第二の伝達手段とから構成されており、前記第一の伝達手段は、前記キャリアの畳み込み方向端部から室内側に向かって突出形成された押圧部材と、前記キャリアの中央よりも引き出し方向寄りの位置から窓側に向かって突出する押圧凸部とからなり、隣り合うキャリアがともに前記移動部に位置するとき前記押圧部材と前記押圧凸部とは互いに干渉する突出量に設定されている。
【００１０】
請求項３に記載の発明は、請求項１又は２に記載の発明において、前記操作力伝達手段はカーテン生地を畳み込む際の操作力を伝達する第一の伝達手段と、カーテン生地を引き出す際の操作力を伝達する第二の伝達手段とから構成されており、前記第二の伝達手段は、前記キャリアの引き出し方向及び畳み込み方向端部近傍位置に取着されたストッパと、該ストッパにて移動が規制されるとともに、隣り合う一方のキャリアと連結される連結部材とからなり、前記連結部材は、キャリアに取着された２つのストッパに挟まれた位置どうしをそれぞれ連結する。
【００１１】
請求項４に記載の発明は、請求項１〜３の何れか一項に記載の発明において、前記解除維持手段は隣り合うキャリアを離間する方向へ付勢する付勢手段を備えた。
請求項５に記載の発明は、請求項１〜４の何れか一項に記載の発明において、前記操作力伝達手段はカーテン生地を畳み込む際の操作力を伝達する第一の伝達手段と、カーテン生地を引き出す際の操作力を伝達する第二の伝達手段とから構成されており、前記第二の伝達手段は前記解除維持手段の機能を備える。
【発明の効果】
【００１２】
本発明によれば、畳み込み操作及び引き出し操作が円滑に行われるスライドスクリーンを提供することができる。
【発明を実施するための最良の形態】
【００１３】
以下、本発明を具体化した一実施形態を図１〜図８に従って説明する。
図１に示すスライドスクリーンは、４枚のカーテン生地１ａ〜１ｄがハンガーレール２に沿って移動可能に吊下支持されている。この状態において各カーテン生地１ａ〜１ｄは、それぞれの端部が隣り合うカーテン生地１ａ〜１ｄの端部に重なり合うように設定されている。
【００１４】
図２及び図４に示すように、前記ハンガーレール２は中央に１条の溝を備えており、該溝の両側に前レール部２ａと後レール部２ｂとを備えている。ハンガーレール２は収納部２ｃと移動部２ｄとを備えている。収納部２ｃはハンガーレール２の長手方向一端（図２、図６及び図７において左端）に形成されている。スライドスクリーンは、薄板にて構成されたフレームＦを備えており、該フレームＦは収納部２ｃの近傍位置に配設されている。
【００１５】
収納部２ｃにおいては、前レール部２ａ及び後レール部２ｂは分割されており、それぞれ長さ方向に異なる位置で室内方向（図２、図６及び図７において下方向）に向かって屈曲されている。従って、収納部２ｃにおいては、前レール部２ａと後レール部２ｂとの間隔が移動部２ｄにおける前レール部２ａと後レール部２ｂとの間隔よりも広く設定されている。
【００１６】
収納部２ｃはハンガーレール２が室内方向に向かって屈曲されているとともに、先端（図２、図６及び図７において左下端）に近付くにつれて重力方向に向かって若干傾斜するように設定されている。収納部２ｃの両レール部２ａ，２ｂの間隔は、後述するキャリア１５ａ〜１５ｄをハンガーレール２の移動部２ｄと平行に吊下支持可能な距離、具体的にはキャリア１５ａ〜１５ｄを吊下支持するランナ３〜１０の間隔に応じた距離に設定されている。移動部２ｄはスライドスクリーンの近傍に位置する図示しない窓ガラスに平行に配設されている。
【００１７】
ハンガーレール２に配設されたランナ３〜１０は、図３に示すように、前レール部２ａ或いは後レール部２ｂの一方のみで支持される片持ち構造をなしており、ランナ本体１１に上部ローラ１２が軸支されている。ランナ本体１１の下部には吊下部１３が水平方向に回転可能に取着されている。吊下部１３には下部ローラ１４が軸支されている。
【００１８】
このように形成されたランナ３〜１０は、上部ローラ１２を介してハンガーレール２に取着されており、ハンガーレール２内を長手方向に移動可能に支持されている。
図４に示すように、下部ローラ１４にはキャリア１５ａ〜１５ｄが組み付けられている。キャリア１５ａ〜１５ｄは、下部ローラ１４が回転することで、該下部ローラ１４に対して相対移動可能である。キャリア１５ａ〜１５ｄは断面略コ字状に形成されており、該キャリア１５ａ〜１５ｄの側面には貼着板１６がそれぞれ取着されている。
【００１９】
貼着板１６はキャリア１５ａ〜１５ｄの長手方向の長さと略等しい長さに設定されており、その長手方向中央よりもややスライドスクリーンの引き出し方向（図２、図６及び図７において右方向、以下Ａ（先端）方向とする）寄りの位置に操作力伝達手段、更に詳しくは第一の伝達手段としての押圧凸部１７が取着されている。押圧凸部１７は窓側（図２、図６及び図７において上側）の端面に取着されており、所定の突出量で窓側に突出している。
【００２０】
貼着板１６の室内側（図２、図６及び図７において下側）の端面には長手方向全体に亘って面ファスナー１６ａが取着されており、該面ファスナー１６ａにはカーテン生地１ａ〜１ｄが貼着されている。即ち、各キャリア１５ａ〜１５ｄにはカーテン生地１ａ〜１ｄが貼着板１６及び面ファスナー１６ａを介して吊下支持されている。このように組み付けられたキャリア１５ａ〜１５ｄは、図２に示すように、それぞれ２つのランナの下部ローラ１４に支持されている。
【００２１】
具体的にはキャリア１５ａはランナ３，４の下部ローラ１４に、キャリア１５ｂはランナ５，６の下部ローラ１４に、キャリア１５ｃはランナ７，８の下部ローラ１４に、キャリア１５ｄはランナ９，１０の下部ローラ１４に吊下支持されている。
【００２２】
各キャリア１５ａ〜１５ｄには両端部近傍位置にそれぞれランナ３〜１０及び下部ローラ１４を挟むように２つずつ、操作力伝達手段、更に詳しくは第二の伝達手段として合計４つのストッパ１８が取着されている。
【００２３】
図４に示すように、ストッパ１８はキャリア１５ａ〜１５ｄの内側に向かって突出形成されており、キャリア１５ａ〜１５ｄ内を移動する下部ローラ１４と当接するように設定されている。従って、各ランナ３〜１０及び該ランナ３〜１０が軸支する下部ローラ１４は、ストッパ１８の範囲内においてのみキャリア１５ａ〜１５ｄに沿って相対移動可能である。尚、ストッパ１８はランナ３〜１０及び下部ローラ１４がある程度キャリア１５ａ〜１５ｄに沿って移動可能となるようにその間隔が設定されている。
【００２４】
各キャリア１５ａ〜１５ｄの畳み込み方向（図２、図６及び図７において左方向、以下Ｂ（後端）方向とする）端部には操作力伝達手段、更に詳しくは第一の伝達手段としての押圧部材１９が一体に取着されている。押圧部材１９は室内側（図２、図６及び図７において下側）に向かって突出形成されており、その突出量はキャリア１５ａ〜１５ｄの畳み込み時に隣り合う２本のキャリアにおいてＡ側のキャリアが備える押圧部材１９とＢ側のキャリアが備える押圧凸部１７とが当接可能となるように設定されている。
【００２５】
このように形成された各キャリア１５ａ〜１５ｄは、操作力伝達手段、更に詳しくは第二の伝達手段及び解除維持手段としての連結部材２０にて互いに連結されている。具体的には、キャリア１５ａとキャリア１５ｂとが連結され、キャリア１５ｂとキャリア１５ｃとが連結され、キャリア１５ｃとキャリア１５ｄとが連結されることで、結果的に４つのキャリア１５ａ〜１５ｄが全て連結されている。
【００２６】
図５に示すように、連結部材２０は第一連結部２１、第二連結部２２、スライド板２３及び付勢手段としてのスプリング２４を備えている。第一連結部２１及び第二連結部２２はともにローラ２５を軸支している。ローラ２５はキャリア１５ａ〜１５ｄに組み付けられており、第一連結部２１及び第二連結部２２はともにキャリア１５ａ〜１５ｄに沿って相対移動可能である。連結部材２０は第一連結部２１が室内側のキャリアに、第二連結部２２が窓側のキャリアに組み付けられている。
【００２７】
第一連結部２１及び第二連結部２２は、スライド板２３及びスプリング２４にて連結されており、互いのローラ２５の中心軸が同一線上に位置するように配設されている。スライド板２３は、第一連結部２１に固着されており、スライド部２３ａ及び移動規制部２３ｂを備えている。スライド板２３は、スライド部２３ａ及び移動規制部２３ｂが窓側に突出するように取着されている。スライド板２３を構成するスライド部２３ａは長板状に形成されており、移動規制部２３ｂはスライド部２３ａから上方に向かって突出する凸部にて形成されている。スライド部２３ａの長さは、互いに連結する両キャリア間の距離が押圧凸部１７と押圧部材１９の突出量の合計よりも大きくなるように設定されている。
【００２８】
第二連結部２２にはスライド板２３を挟持するための抑え部２２ａが形成されており、該抑え部２２ａにてスライド板２３の周囲を略覆っている。即ち、スライド板２３はスライド部２３ａが第二連結部２２と抑え部２２ａとの間に貫挿された状態となっている。このように第二連結部２２に組み付けられたスライド板２３は、スライド部２３ａが第二連結部２２と抑え部２２ａとの間を長手方向に移動可能であるとともに、スライド板２３の端部に形成された移動規制部２３ｂにてスライド板２３の抜け止めが行われている。即ち、連結部材２０はスライド板２３を備えることで、互いに連結する両キャリア１５ａ〜１５ｄ間の距離の変更に対応可能である。
【００２９】
第一連結部２１と第二連結部２２とを連結するスプリング２４はスライド板２３に平行に取着されている。スプリング２４はハンガーレール２にキャリア１５ａ〜１５ｄを吊下した際、第一連結部２１と第二連結部２２とが離間する方向に常に付勢力が働くようにその弾性力の方向が設定されている。
【００３０】
このように形成された連結部材２０は、各キャリア１５ａ〜１５ｄの両端部近傍に２つずつ取着された両側のストッパ１８の中央位置（内側）どうしを連結している。尚、ローラ２５は下部ローラ１４と同じくキャリア１５内を移動するため、各キャリア１５ａ〜１５ｄの内側に向かって突出するストッパ１８にてその移動範囲を制限されている。
【００３１】
次に、上記のように構成されたスライドスクリーンの引き出し状態について説明する。
図１及び図２は、各カーテン生地１ａ〜１ｄをハンガーレール２に沿って引き出した状態を示す。この状態では、上述したように、各キャリア１５ａ〜１５ｄ及び各カーテン生地１ａ〜１ｄの端部がそれぞれハンガーレール２に沿って隣り合うキャリア及びカーテン生地の端部に重なり合うように設定されている。
【００３２】
この際、ランナ１０は図示しないストッパにてＡ方向への移動が規制されており、スライドスクリーンが過剰に引き出し操作されることを防止している。
Ａ方向への移動が規制されたランナ１０は、キャリア１５ｄのＢ方向端部に取着されたストッパ１８に当接しており、該キャリア１５ｄがこれ以上Ａ方向に移動されることを防止している。キャリア１５ｄのＡ方向への移動が防止されることで、キャリア１５ｄとキャリア１５ｃとを連結する連結部材２０のＡ方向への移動が防止され、該連結部材２０にてキャリア１５ｃのＡ方向への移動が防止されている。
【００３３】
同様に、キャリア１５ｂは該キャリア１５ｂとキャリア１５ｃとを連結する連結部材２０にてＡ方向への移動が防止され、キャリア１５ａは該キャリア１５ａとキャリア１５ｂとを連結する連結部材２０にてＡ方向への移動が防止されている。
【００３４】
このように、各キャリア１５ａ〜１５ｄは最大の引き出し位置が設定されており、最終的にはカーテン生地１ａの全閉位置が決定される。尚、各ランナ３〜１０はキャリア１５ａ〜１５ｄを相対移動可能に吊下支持しているため、この時、それぞれのランナ３〜１０はキャリア１５ａ〜１５ｄのＢ側のストッパ１８に当接している。
【００３５】
次に、上述したスライドスクリーンの引き出し状態から該スライドスクリーンを畳み込む際の動作を説明する。
図２に示す状態からスライドスクリーンの畳み込み操作を行うためには、先ず先頭のカーテン生地１ａを操作して、キャリア１５ａを畳み込み方向に移動させる。
【００３６】
図２に示す状態からキャリア１５ａが畳み込み方向に移動されると、該キャリア１５ａのＢ方向端部に取着された押圧部材１９はキャリア１５ｂに取着された押圧凸部１７と当接し、該押圧凸部１７及びキャリア１５ｂを畳み込み方向に移動させる。尚、このとき押圧部材１９は押圧凸部１７よりもＡ方向に位置するが、このときの押圧部材１９の位置を伝達位置とする。
【００３７】
キャリア１５ｂが畳み込み方向に移動されると、該キャリア１５ｂのＢ方向端部に取着された押圧部材１９はキャリア１５ｃに取着された押圧凸部１７と当接し、該押圧凸部１７及びキャリア１５ｃを畳み込み方向に移動させる。
【００３８】
同様に、キャリア１５ｃが畳み込み方向に移動されると、該キャリア１５ｃのＢ方向端部に取着された押圧部材１９はキャリア１５ｄに取着された押圧凸部１７と当接し、該押圧凸部１７及びキャリア１５ｄを畳み込み方向に移動させる。
【００３９】
このようにしてキャリア１５ａ〜１５ｄは略一体に連なって畳み込み方向に移動される。尚、各ランナはキャリア１５ａ〜１５ｄを相対移動可能に吊下支持しているため、この時、それぞれのランナ３〜１０はキャリア１５ａ〜１５ｄのＡ側のストッパ１８に当接している。
【００４０】
キャリア１５ｄが収納部２ｃまで移動されると、以後キャリア１５ｄはハンガーレール２の屈曲に沿って収納部２ｃに収納される。従って、収納部２ｃに収納されるキャリアとＡ方向に隣り合うキャリアとの距離が離間されることとなり、押圧部材１９と押圧凸部１７との当接状態が自然に解除される。この際、キャリア１５ｄはＢ方向に移動されてきた慣性力及びキャリア１５ｄの自重によりスムーズに収納部２ｃに収納可能である。また、押圧部材１９と押圧凸部１７との当接状態が解除されると、その後隣り合うキャリアのうちＡ方向に位置するキャリアの押圧部材１９がＢ方向に位置するキャリアの押圧凸部１７よりもＢ方向に位置するが、このときの押圧部材１９の位置を解除位置とする。
【００４１】
図６に示すように、キャリア１５ｄが収納部２ｃに押し込まれると、該キャリア１５ｄはハンガーレール２の屈曲に沿って室内側へと移動していく。この際、連結部材２０は両キャリア１５ｃ，１５ｄに対して長手方向に相対移動可能であるとともに、両キャリア１５ｃ，１５ｄ間の距離の変更に対応可能とされているため、キャリア１５ｄを室内側へと移動しながらキャリア１５ｃを畳み込み方向に移動可能である。このようにして、順次キャリア１５ｃ、キャリア１５ｂ、キャリア１５ａが収納部２ｃに収納される。
【００４２】
キャリア１５ａ〜１５ｄはハンガーレール２に沿って移動するため、収納部２ｃに収納されると、該キャリア１５ａ〜１５ｄはそれぞれの収納順序に従って徐々にフレームＦに近付いていく。
【００４３】
この際、キャリア１５ａ〜１５ｄを吊下支持する各ランナ３〜１０は、Ａ側のストッパ１８に当接しているため、各キャリア１５ａ〜１５ｄのＢ方向端部は後レール部２ｂからフレームＦ側に突出した状態となる。従って、各キャリア１５ａ〜１５ｄがフレームＦに近付くと、やがて各キャリア１５ａ〜１５ｄのＢ方向端部に取着された押圧部材１９がフレームＦに当接する。
【００４４】
この状態から各キャリア１５ａ〜１５ｄを更に畳み込み方向に操作しようとすると、該キャリア１５ａ〜１５ｄはこれ以上Ｂ方向に移動することができないため、フレームＦに当接したままハンガーレール２に沿って徐々に室内方向に移動される。このとき、ランナ３〜１０は各キャリア１５ａ〜１５ｄに対して、該キャリア１５ａ〜１５ｄの室内方向への移動量に応じた位置まで相対移動する。具体的には、キャリア１５ｄは室内方向への移動量が最も大きいため、ランナ９，１０はキャリア１５ｄに対して最もＢ方向に移動し、Ｂ方向に位置するストッパ１８とほぼ当接する状態となる。一方、キャリア１５ａは室内方向への移動量が最も小さいため、ランナ３，４はキャリア１５ａに対するＢ方向への移動量が最も小さくなり、Ａ方向に位置するストッパ１８とほぼ当接した状態のままとなる。
【００４５】
このように畳み込み操作が行われたスライドスクリーンは、図７に示すように、完全に畳み込まれた状態となり、キャリア１５ａ〜１５ｄ及びカーテン生地１ａ〜１ｄがハンガーレール２の移動部２ｄに直交する方向に沿って積層状態となる。この際、各キャリア１５ａ〜１５ｄのＢ方向端部はフレームＦにて揃えられるため、各キャリア１５ａ〜１５ｄの収納状態において、該キャリア１５ａ〜１５ｄの長手方向両端部はともに一直線上に並ぶこととなる。また、連結部材２０が備えるスプリング２４が各キャリア１５ａ〜１５ｄ間を離間させる方向に付勢力を発生させるが、収納部２ｃは先端（図２、図６及び図７において左下端）に近付くにつれて重力方向に向かって若干傾斜するように設定されている。従って、キャリア１５ａ〜１５ｄ及びカーテン生地１ａ〜１ｄの自重が働き、各キャリア１５ａ〜１５ｄ間が必要以上に離間することはない。
【００４６】
このように畳み込まれた各キャリア１５ａ〜１５ｄ及び該キャリア１５ａ〜１５ｄに貼着されたカーテン生地１ａ〜１ｄは、畳み込み状態において、ハンガーレール２の移動部２ｄと平行状態となっている。
【００４７】
次に、スライドスクリーンの収納状態から該スライドスクリーンを引き出す際の動作を説明する。
図７に示すように、キャリア１５ａ〜１５ｄは収納状態において、全て収納部２ｃに収納されている。この状態から引き出し操作が行われると、キャリア１５ａ〜１５ｄは引き出し方向に順次、具体的には最も窓側に収納されたキャリア１５ａからキャリア１５ｂ、キャリア１５ｃ、キャリア１５ｄの順番で徐々に引き出し方向に向かって操作される。
【００４８】
図８に示すように、キャリア１５ａは引き出し方向に向かって操作されると、先ずはハンガーレール２の収納部２ｃに沿って窓側に移動される。キャリア１５ａが窓側に移動されると、キャリア１５ｂは連結部材２０を介してキャリア１５ａに連結されているため、所定間隔、具体的にはスライド部２３ａの長さ分だけ離間した状態で窓側に移動される。
【００４９】
キャリア１５ａが移動部２ｄに到達すると、該キャリア１５ａは移動部２ｄに沿ってＡ方向に移動を開始する。この際、キャリア１５ｂは収納部２ｃ内に配設されているため、キャリア１５ａのみがＡ方向に向かって移動を行うこととなる。
【００５０】
キャリア１５ａがＡ方向に移動を開始する際、キャリア１５ｂは窓の近傍位置に配設されるが、連結部材２０が備えるスプリング２４の付勢力により、キャリア１５ａとキャリア１５ｂとの間はスライド部２３ａの長さ分だけ離間している。従って、キャリア１５ａが移動部２ｄをＡ方向に移動する際に、キャリア１５ａのＢ方向端部に取着された押圧部材１９がキャリア１５ｂに取着された押圧凸部１７に当接することなくＡ方向に移動することができる。
【００５１】
キャリア１５ａに取着された押圧部材１９がキャリア１５ｂに取着された押圧凸部１７を越えてＡ方向に移動すると、やがてキャリア１５ａのＢ方向側に取着されたストッパ１８は連結部材２０に当接し、該連結部材２０をキャリア１５ａとともにＡ方向に移動させる。このようにして連結部材２０がＡ方向に移動すると、該連結部材２０がいずれキャリア１５ｂのＡ方向側に取着されたストッパ１８に当接し、キャリア１５ｂをＡ方向に移動させる。
【００５２】
以下同様に、キャリア１５ｂが収納部２ｃから移動部２ｄに移動される際には、キャリア１５ｂとキャリア１５ｃとを連結するスプリング２４の付勢力に両者の間隔が離間され、キャリア１５ｂの押圧部材１９が、キャリア１５ｃの押圧凸部１７を越えてＡ方向に移動可能となる。そして、キャリア１５ｃが収納部２ｃから移動部２ｄに移動される際には、キャリア１５ｃとキャリア１５ｄとを連結するスプリング２４の付勢力に両者の間隔が離間され、キャリア１５ｃの押圧部材１９が、キャリア１５ｄの押圧凸部１７を越えてＡ方向に移動可能となる。
【００５３】
最後にキャリア１５ｃの連結部材２０がキャリア１５ｄのＡ方向側に取着されたストッパ１８を介してキャリア１５ｄをＡ方向に引っ張ることでキャリア１５ｄがＡ方向に移動され、図１及び図２に示す、スライドスクリーンの引き出し状態となる。
【００５４】
以上記述したように、本実施の形態によれば、以下の効果を奏する。
（１）キャリア１５ａ〜１５ｄ及び該キャリア１５ａ〜１５ｄに吊下支持されたカーテン生地１ａ〜１ｄは、ストッパ１８及び連結部材２０によって引き出し操作のための操作力を伝達可能であるとともに、押圧凸部１７及び押圧部材１９によって畳み込み操作のための操作力を伝達可能となっている。従って、先頭のカーテン生地１ａ或いはキャリア１５ａを操作することで、後続のカーテン生地１ｂ〜１ｄ及びキャリア１５ｂ〜１５ｄの引き出し操作及び畳み込み操作を行うことができる。
【００５５】
（２）キャリア１５ａ〜１５ｄは、ハンガーレール２に対して垂直方向から見て傾きを持たせて吊下支持されている。従って、１条のハンガーレール２にて複数のキャリア及びカーテン生地を吊下支持することができ、ハンガーレール２を複数設置することによるスライドスクリーンの設置スペースの増加を抑制することができる。
【００５６】
（３）収納部２ｃにキャリア１５ａ〜１５ｄのＢ方向端部が揃うように収容することができる。従って、収納スペースをハンガーレール２の長手方向において短くすることができ、スライドスクリーンの開度を大きくすることができる。
【００５７】
（４）収納部２ｃの近傍位置にはフレームＦが配設されている。従って、畳み込み操作を行う際にキャリア１５ａ〜１５ｄのＢ方向端部を揃えることができる。従って、キャリア１５ａ〜１５ｄの両端部が揃うように収納部２ｃに収納することができる。従って、室内側からの見栄えを良好にすることができる。
【００５８】
（５）収納部２ｃを構成する前レール部２ａ及び後レール部２ｂは、先端（図２、図６及び図７において左下端）に近付くにつれて重力方向に向かって若干傾斜するように設定されている。従って、スライドスクリーンを畳み込み操作する際に、収納部２ｃまで移動したキャリア１５ａ〜１５ｄをスムーズに室内側に送り込むことができ、キャリア１５ａ〜１５ｄの畳み込み操作が円滑に行われる。
【００５９】
（６）各キャリア１５ａ〜１５ｄの引き出し操作時に、収納部２ｃから移動部２ｄに引き出されるキャリアは、連結部材２０にて連結される後端側のキャリアとの間隔が離間されるようにスプリング２４にて付勢されている。従って、引き出し操作時に先端側のキャリアに取着された押圧部材１９を後端側のキャリアに取着された押圧凸部１７に干渉させることなく、該押圧凸部１７よりも確実にＡ方向側まで移動させることができる。従って、先頭のキャリア１５ａを操作することで、後続のキャリア１５ｂ〜１５ｄに確実に引き出し操作或いは畳み込み操作を伝達することができ、スライドスクリーンを円滑に操作することができる。
【００６０】
（７）スプリング２４は連結部材２０に一体に取着されている。従って、キャリアを引き出す際の操作力を伝達する第二の伝達手段と、隣り合うキャリアを離間する方向へ付勢する付勢手段とを一体に構成することができ、スライドスクリーンの部品点数の増加を抑制することができる。
【００６１】
尚、上記実施の形態は、以下の態様で実施してもよい。
・上記実施の形態においては、スライドスクリーンはカーテン生地１ａ〜１ｄを片側（図２、図６及び図７において左側）に収納する片開きのものであったが、ハンガーレールの中央から両側端部に向かって開操作を行う両開きのスライドスクリーンであってもよい。
【００６２】
・上記実施の形態においては、スライドスクリーンを４枚のカーテン生地１ａ〜１ｄにて構成したが、カーテン生地の枚数は適宜変更してもよい。
・上記実施の形態においては、収納部２ｃの近傍位置にフレームＦを配設したが、各キャリア１５ａ〜１５ｄの端面を揃える手段を備えていればよく、例えば、スライドスクリーンを取着する窓枠の側壁にてフレームＦの役割を持たせるようにしてもよい。
【００６３】
・上記実施の形態においては、連結部材２０にスプリング２４を配設して第一連結部２１及び第二連結部２２（図５参照）の間隔を離間させたが、その他の付勢手段にて第一連結部２１及び第二連結部２２の間隔を離間させてもよい。
【００６４】
・上記実施の形態においては、収納部２ｃは前レール部２ａ及び後レール部２ｂを室内方向に向かって屈曲させ、移動部２ｄよりも室内側に形成されていた。しかし、前レール及び後レールを窓側に屈曲させて、収納部を移動部よりも窓側に形成してもよい。
【００６５】
・上記実施の形態においては、前レール部２ａ及び後レール部２ｂを室内方向に向かって屈曲させることで収納部２ｃを形成していた。しかし、収納部２ｃの形成方法は他の手段を用いてもよく、例えば、窓に平行に配設されたハンガーレールの一端に別体で形成されたレールを取着し、収納部を形成したものでもよい。
【００６６】
・上記実施の形態においては、前レール部２ａ及び後レール部２ｂは先端に近付くにつれて重力方向に向かって若干傾斜するように設定されていた。しかし、前レール及び後レールは重力方向への傾斜が設定されていないものを用いてもよい。この場合、各キャリア１５ａ〜１５ｄはＡ方向に隣り合うキャリアを吊下支持するランナにて押圧されることで、順次収納部に畳み込まれる。
【００６７】
・上記実施の形態においては、キャリア間の操作力を伝達する連結部材２０と、該キャリア間の間隔を離間する方向に付勢力を発生させるスプリング２４とを一体に形成していた。しかし、これらを別体に形成して各キャリアをそれぞれ連結してもよい。
【図面の簡単な説明】
【００６８】
【図１】スライドスクリーンの概略図。
【図２】スライドスクリーン全閉時の上面図。
【図３】ランナの斜視図。
【図４】スライドスクリーンの側面図。
【図５】連結部材の斜視図。
【図６】スライドスクリーンの畳み込み操作時の上面図。
【図７】スライドスクリーンの全開時の上面図。
【図８】スライドスクリーンの引き出し操作時の上面図。
【符号の説明】
【００６９】
１ａ〜１ｄ…カーテン生地、２…ハンガーレール、２ａ…前レール部、２ｂ…後レール部、２ｃ…収納部、２ｄ…移動部、３〜１０…ランナ、１１…ランナ本体、１２…上部ローラ、１３…吊下部、１４…下部ローラ、１５ａ〜１５ｄ…キャリア、１７…第一の伝達手段としての押圧凸部、１８…第二の伝達手段としてのストッパ、１９…第一の伝達手段としての押圧部材、２０…第二の伝達手段及び解除維持手段としての連結部材、２４…付勢手段としてのスプリング、Ｆ…フレーム。
【図１】
2005126966.tif 000003
【図２】
2005126966.tif 000004
【図３】
2005126966.tif 000005
【図４】
2005126966.tif 000006
【図５】
2005126966.tif 000007
【図６】
2005126966.tif 000008
【図７】
2005126966.tif 000009
【図８】
2005126966.tif 000010